(57)【要約】【課題】 受信アンテナの方向調整が、バーストエラーの少ない電波を受信する操作を容易化し、高品質の伝送を実現可能とすること。【解決手段】 ディジタル変調方式によるディジタル伝送装置において、受信信号から伝送におけるエラー発生状態を表す信号を生成し、当該生成したエラー発生状態を表す信号を映像信号化する手段と、当該映像化信号を画像表示する手段を有する構成としたもので、伝送データにおけるエラーの発生パターンを映像信号化し表示することで、エラーの発生状態を瞬時に視覚的に得ることができ、より品質の高い方向調整作業を容易に実施できる。【選択図】図１
2006157948.tif 000002
【特許請求の範囲】
【請求項１】
ディジタル変調方式によるディジタル伝送装置の伝送エラー発生状態報知方法において、
受信側で、受信したデータの伝送におけるエラー発生状態を表す信号を取り出し、当該取り出した伝送エラー発生状態を表す信号を、伝送エラーの発生する時間間隔に応じて伝送エラーを表す画像同士の発生間隔が変化する映像信号に変換し、当該変換した映像信号を、上記伝送エラーの発生状態を表す画像として画像表示することを特徴とする伝送エラー発生状態報知方法。
【請求項２】
請求項１記載の伝送エラー発生状態報知方法において、
上記伝送エラー発生状態を表す信号を、エラー訂正状態を表すエラーフラグ信号とし、上記映像信号に変換する際、上記エラーフラグ信号の発生する時間間隔に応じて伝送エラーを表す画像同士の発生間隔が変化する映像信号に変換し、当該変換した映像信号を画像表示した際、ランダムエラーが発生しているかバーストエラーが発生しているかを表す画像として画像表示することを特徴とする伝送エラー発生状態報知方法。
【請求項３】
請求項１乃至２記載の伝送エラー発生状態報知方法において、
上記映像信号に変換した伝送エラー発生状態を表す信号を、上記受信データに伝送エラーが発生した期間と、上記受信データに伝送エラーが発生していない期間とで、少なくとも輝度または色相のいずれか一方が異なるように表示することを特徴とする伝送エラー発生状態報知方法。
【請求項４】
請求項１乃至３記載の伝送エラー発生状態報知方法において、
上記映像信号に変換した伝送エラー発生状態を表す信号を、他の映像信号に同期させて重畳し、上記伝送エラーの発生状態を表す画像を上記他の映像と共に画像表示することを特徴とする伝送エラー発生状態報知方法。
【発明の詳細な説明】
【技術分野】
【０００１】
本発明は、ディジタル変調方式によるディジタル伝送装置における伝送状態の表示機能の改善に関する。
【背景技術】
【０００２】
近年、ヨーロッパやアメリカおよび日本でディジタル放送が検討されており、その変調方式としては、直交周波数分割多重(ＯＦＤＭ：Orthogonal FrequencyDivision Multiplex）変調方式の採用が有力視されている。このＯＦＤＭ変調方式とは、マルチキャリア変調方式の一種で、多数のディジタル変調波を加え合わせたものである。このときの各キャリアの変調方式にはＱＰＳＫ(Quadrature Phase Shift Keying：４相位相偏移変調)方式等が用いられ、合成波であるＯＦＤＭ信号を得ることができる。ここで、このＯＦＤＭ信号を数式で表すと、以下のようになる。まず、各キャリアのＱＰＳＫ信号をαk(t)とすると、これは式(１)で表せる。
【０００３】
αk(t)＝ａk(t)・cos(2πkft)＋ｂk(t)・sin(2πkft) ・・・・・（１)
ここで、ｋはキャリアの番号を示し、ａk(t)、ｂk(t)は、ｋ番目のキャリアのデータで、［−１］または［１］の値をとる。次に、キャリアの本数をＮとすると、ＯＦＤＭ信号はＮ本のキャリアの合成であり、これをβk(t)とすると、これは次の式(２)で表すことができる。
【０００４】
βk(t)=Σαk(t) (但し、ｋ＝１〜Ｎ) ・・・・・・（２）
ところで、ＯＦＤＭ変調方式では、マルチパスの影響を低減するため、信号にガードインターバルを付加するのが一般的である。このＯＦＤＭ信号は、上記信号単位から構成され、この信号単位シンボルは、例えば有効サンプル１０２４サンプルにガードインターバルデータ４８サンプルを付加した１０７２サンプルのシンボル８９４組に、６組の同期シンボルを付加した、全９００シンボルからなるフレームと呼ぶストリーム単位の繰返しで構成される。図１２は、従来技術によるＯＦＤＭ伝送装置における変復調部の基本的な構成を示すブロック図である。伝送路符号化部１Ｔは、フレーム周期である９００シンボル毎に、送信機のフレーム制御パルスＦＳＴを発生し、同期シンボル期間の開始を表わすフレームパルス信号として、他のブロックに供給する。符号化部２Ｔは、入力されたデータＤiiを符号化し、Ｉ軸とＱ軸の２軸にマッピングしたデータＲｆとＩｆを出力する。ＩＦＦＴ(Inverse Fast Fourier Transform：逆フーリエ変換)部３Ａは、これらデータＲｆとＩｆを周波数成分と見なし、１０２４サンプルからなる時間軸信号Ｒ(実数成分)とＩ(虚数成分)に変換する。 ガード付加部３Ｂは、１０２４サンプルからなる時間軸信号ＲとＩの開始期間における波形の中で、例えば最初の４８サンプルの波形を１０２４サンプル後に付加し、合計１０７２サンプルの時間軸波形からなる情報シンボルＲｇとＩｇを出力する。この４８サンプルは反射波混入時の緩衝帯となる。同期シンボル挿入器５は、これら情報シンボルＲｇ，Ｉｇに対して、それらの８９４サンプル毎に、予めメモリ等に記憶された、６シンボルからなる同期波形を挿入し、フレーム構成のデータＲsgとＩsgを作成する。これらのデータＲsg，Ｉsgは直交変調処理部８に供給され、ここでＤ／Ａ変換器８１と直交変調器８２、ローカル発振器８３により、周波数ＦｃのキャリアによるＯＦＤＭ変調波信号ＲＦとして生成され、高周波増幅され、ここでは図示しないが、送信アンテナを介して伝送路Ｌに送出されることになる。伝送帯域は、ＵＨＦ帯やマイクロ波帯が用いられる。
【０００５】
なお、送信機Ｔｘにおける処理に必要なクロックＣＫ(周波数１６ＭＨｚ)は、クロック発振器６から各ブロックに送信機クロックＣＫｄとして供給される。上記の様にして送信されたＯＦＤＭ変調波信号ＲＦは、図示しない受信アンテナを介し、受信機Ｒｘの直交復調処理部９に入力され、直交復調器９１により電圧制御発振器９３から供給される周波数Ｆc'の局発信号と乗算されて、ベースバンド信号に直交復調された後、Ａ／Ｄ変換器９２によってディジタル化され、データＲ'sgとＩ'sgに変換される。これらのデータＲ'sg，Ｉ'sgは、ＦＦＴ(Fast Fourier Transform：高速フーリエ変換)部３Ｃに供給され、ここでパルスＦＳＴrcに基づきＦＦＴとして利用する１０２４サンプルのデータ期間を決定するゲート信号を作成して、緩衝帯である４８サンプルを除外することにより、時間軸波形信号Ｒ'sg，Ｉ'sgは、周波数成分信号Ｒ'fとＩ'fに変換される。 一方、上記データＲ'sgとＩ'sgは、同期検出器４にも入力され、ここで同期シンボル群が検出され、これによりフレームパルスとなるパルスＦＳＴｒが取り出される。このパルスＦＳＴｒは、受信機Ｒｘのフレーム制御パルスとなり、受信機Ｒｘの各ブロックに供給される。そして、これら周波数成分信号Ｒ'f，Ｉ'fは、復号化部２Ｒにて識別、復号化されて、データＤ'oになり、伝送路復号化部１Ｒにて連続した信号Ｄoutとして出力される。
【０００６】
次に各部の詳細について述べる。伝送路符号化部１Ｔは、伝送中に混入の恐れがある各種のエラーによるデータ誤りを防止するため、インターリーブ処理、エネルギー拡散処理、エラー訂正用符号処理等を行う。符号化部２Ｔは、信号Ｄiiを、マッピングＲＯＭを用いてＩ，Ｑ軸の所定点の情報に変換し、また、不要キャリアに相当する期間の信号は０に置換し、データＲｆとＩｆを作成する。ＩＦＦＴ変換部３Ａは、入力信号ＲｆとＩｆをクロックＣＫｄとパルスＦＳＴとでタイミングを決められた、シンボル周期の時間軸波形ＲとＩに変換する。具体的には、プレッシー社のＰＤＳＰ１６５１０等を用いれば実現できる。ガード付加部３Ｂは、ここに入力された信号ＲとＩを１０２４サンプル遅延させる遅延器と、１０２５サンプル目から１０７２サンプル目のみ遅延出力を選択する切り替え器からなり、これらはクロックＣＫとパルスＦＳＴによってタイミングを決められる。ここで得られる全１０７２サンプルからなるシンボルは、１０２５サンプル目から１０７２サンプル目に、１サンプル目から４８サンプル間の時間軸波形が付加され、情報シンボルＲｇ，Ｉｇとなる。同期挿入部５は、作成されたガード付時間信号ＲｇとＩｇに前記同期シンボル群を挿入し出力する。同期シンボル群の１つとして、ＮＵＬＬシンボル挿入の目的は、無信号であるＮＵＬＬシンボル期間によって、同期シンボル群の存在を大まかに見つけるためである。ＳＷＥＥＰシンボル挿入の目的は、シンボルの切り替わり点を正確に求めるためであり、ＳＷＥＥＰシンボルは１シンボル期間に伝送帯域の下限周波数から上限周波数に変化する波形である。直交変調処理部８は、Ｄ／Ａ変換器８１により、実数部の信号Ｒsgと虚数部の信号Ｉsgに対してＤ／Ａ変換を行い、直交変調器８２では、実数部信号に対しては、発振器８３からの周波数ｆｃのキャリア信号のままで変調し、虚数部信号に対しては、発振器８３の周波数ｆｃのキャリア信号を９０°移相した信号で変調することによって直交変調を施し、これらの信号を合成してＯＦＤＭ変調波信号を得る。
【０００７】
受信機Ｒｘでは、伝送されたＯＦＤＭ信号を直交復調処理部９に入力する。ここでの処理は、送信機Ｔｘとは逆に、直交復調器９１により、電圧制御発振器９３から出力される周波数Ｆc'のキャリア信号により復調した出力を実数部信号として取り出し、キャリア信号を９０°移相して復調した出力を虚数部信号として取り出すものである。そして、これら実数部と虚数部の各復調アナログ信号を、Ａ／Ｄ変換器９２によりディジタル信号に変換する。同期検出器４は、受信した信号Ｒ'sgとＩ'sgからフレームの区切りを探索し、フレームの基準ＦＳＴrcを出力するとともに相関出力ＶＣを出力する。そして、ＦＦＴ部３Ｃは、このパルスＦＳＴrcに基づいてシンボルを区切り、前述のようにフーリエ変換を行うことでＯＦＤＭ復調を行い、データＲ'fとＩ'fを出力する。復号化部２Ｒは、例えばＲＯＭテーブル手法にて、データＲ'fとＩ'fを識別し、データＤ'oを算出する。伝送路復号化部１Ｒは、逆インターリーブ処理、エネルギー逆拡散処理、エラー訂正処理等を行い、連続したディジタルデータDout、エラー訂正処理状況であるエラーフラグ信号Ｓｅおよび受信機クロック信号ＣＫRXを出力する。なお、受信信号を画像化するには、ＯＦＤＭ復調で得たディジタルデータを、ＭＰＥＧデコーダを用いて画像に復号する必要がある。
【０００８】
ところで、ＯＦＤＭはマルチキャリア変調方式の一種であることは前述した。ＯＦＤＭの特徴として、一部のキャリアがレベル低下し、このキャリアに割り当てられたデータが喪失されても、残りの多数の正常なキャリアに割り当てられたデータからエラー訂正処理により喪失データが再生可能である。通常、図１３に示すように、受信機においてエラーの発生状況はＬＥＤによるＢＥＲ(ビット・エラー・レート)表示で確認できる。しかし、このＢＥＲ状態は、一定時間内に受信したデータに対するエラーデータの割合を示すものであって、エラーの発生パターンについては分からない。即ち、ＢＥＲが同一でも、ノイズ等により伝送帯域全体にランダムにエラーが生じる場合には、正常なデータからエラー訂正が可能となる。しかし、周波数選択性フェージングや瞬断によって連続的なバーストエラーが生じる場合には、正常なデータを得ることができず、エラー訂正が不可能となってしまう。これらのデータを映像化する場合、ランダムエラーの場合には正常に映像化が可能でも、バーストエラーの場合には、映像化不可能となってしまうことが考えられる。また、通常、図１３に示すように、受信電界強度は、受信機側においてメータ等により確認できる。
【０００９】
ところで、以上説明したようなディジタル伝送装置を、マラソン中継等の移動しながらの電波伝送に用いる場合、受信機のアンテナを移動中の中継車等の送信アンテナに正確に向け、強い電波を受ける方向調整作業が必要となる。以後、この方向調整作業を、短縮して、方調と呼ぶ。 また、このようなマラソン中継等を、移動体中継、移動体伝送と言う。旧来のアナログ伝送の場合、ほとんどのケースで、伝送品質は電界が強い程に良好となる。しかし、ディジタル伝送の場合は、同一のＢＥＲ状態が得られている時、受信電界が強くてバーストエラーが存在する電波を受信するより、多少受信電界が弱くてもランダムエラーが存在する電波を受信する方が、良好な伝送状態を得られることが圧倒的に多い。
【特許文献１】特開平１０−２８０６５号公報
【発明の開示】
【発明が解決しようとする課題】
【００１０】
以上説明した従来の構成において、伝送状態を把握する手段として、ＬＥＤにより表示されるＢＥＲ状態では、一定時間内に受信したデータ内に存在するエラーの割合のみ表示されるため、エラーの発生パターンについては未知である。また、メータ等により表示される受信電界強度が最も強い電波が高品質であるとは限らない。このように、方向調整作業を行うにあたり、ＢＥＲ状態と受信電界強度の情報のみでは、必ずしも、高品質の伝送を実現できないという欠点が生じている。本発明は、これらの欠点を除去し、伝送エラーの発生を示す情報を、映像信号化して表示し、方向調整者がバーストエラーの少ない電波を受信する操作を容易化し、品質の高い伝送を実現することを第１の目的とする。また、方向調整者が多数の表示モニタを見なくて済むように映像化したエラー発生情報を、他の映像信号に同期させることで、俗に言う、スーパーインポーズ状態で表示することを第２の目的とする。
【課題を解決するための手段】
【００１１】
本発明は上記第１の目的を達成するため、ディジタル変調方式によるディジタル伝送装置において、受信信号から伝送におけるエラー発生状態を表す信号を生成し、当該生成したエラー発生状態を表す信号を映像信号化する手段と、当該映像化信号を画像表示する手段を有する構成としたものである。また、上記エラー発生状態を表す信号を、エラー訂正処理状態を表すエラーフラグ信号とし、上記映像信号化する手段を、上記エラーフラグ信号をその発生位置、発生数に応じて映像信号化するものである。さらに、上記エラー発生状態を示す信号を記憶装置に記憶し、映像信号のブランキング期間に関係なく発生したエラーを全て表示するものである。また、上記映像信号化したエラー発生状態を示す信号を、エラーの発生している期間と、エラーの発生していない期間で、異なる輝度または色相で表示するものである。また、上記第２の目的を達成するため、上記映像信号化したエラー発生状態を示す信号を、他の映像信号に同期させて重畳する手段を有する構成としたものである。また、画像コーデックと組み合わせ、受信復号された映像信号に、上記映像信号化したエラー発生状態を示す信号を同期させて重畳する手段を有する構成としたものである。
【発明の効果】
【００１２】
以上説明したように本発明によれば、伝送エラーの発生状態を映像信号化して表示することのできるディジタル伝送装置を実現でき、また、エラーの発生状態を瞬時に視覚的に得ることができ、より品質の高い方向調整作業を容易に実施できる。また、映像信号化したことで、表示する装置も一般的なビデオモニタを使用できるため、状況に応じて最適なサイズの表示が可能となる。なお、伝送状態を測定・収集する際に、映像信号の形態に変換してあるため、ＶＴＲ等に録画することで、大量のデータを容易かつ安価に記録できる。
【発明を実施するための最良の形態】
【００１３】
本発明の全体ブロック構成を図１に示す。これは、図１２に示す従来技術と同様構成の送信機Ｔｘと、同じく同様構成の受信機Ｒｘと、映像変換部７Ａから構成される。受信機Ｒｘから出力されるエラーフラグ信号Ｓｅは、映像変換部７Ａに接続される。エラーフラグ信号Ｓｅの一例として、スタンフォードテレコム社のビタビデコーダＳＴＥＬ−２０６０の７６番ピン出力（ＢＥＲＲ出力）を用いることで実現できる。また、エラーフラグが出力される場合の一例を挙げる。例えば、符号化に、ＤＱＰＳＫ(Differential Quadrature Phase Shift Keying：４相差動位相偏移変調)を用いた場合、データのマッピング位置は図１１に示すように、Ａ点、Ｂ点、Ｃ点、Ｄ点の４点である。送信機側からＡ点として伝送されたデータが、伝送路に存在するノイズなどの外乱により、受信機側においてＥ点で受信された場合、Ｂ点のデータとして認識され、エラーが発生しエラーフラグはＬレベルからＨレベルに変化する。
【００１４】
図２に、本発明の映像変換部７Ａの具体的構成の一実施例を示し、以下に説明する。受信機Ｒｘから得られるエラーフラグ信号Ｓｅは、ゲート７Ａ−２に接続される。映像同期信号発生器７Ａ−１から出力されるブランキング期間信号ＢＬＫ、カラーサブキャリア信号ＳＣおよび映像同期信号C.SYNCは、それぞれ、ゲート７Ａ−２、色合成器７Ａ−４、加算器７Ａ−３に入力される。ゲート７Ａ−２から出力されるエラーフラグゲート信号Ｓegは、色合成器７Ａ−４に入力される。色合成器７Ａ−４から出力される色付きエラーフラグ信号Ｓeg'は、加算器７Ａ−３に入力される。加算器７Ａ−３は、この色付きエラーフラグ信号Ｓeg'を映像信号化して出力する。ここで、図４を用い、映像信号化されたエラー表示画像例について説明する。図に示すように、発生するエラー数に応じ画像が変化する。例えば、ランダムエラーが存在する場合は、エラーが増加するにつれ、図４（Ａ）の様に、エラーを表す画像(ドット)数が増加する。 また、バーストエラーが存在する場合は、エラーが増加するにつれ、図４（Ｂ）のように、エラーを表す画像(横線)の太さが太くなる。 なお、表示の更新は、映像信号の更新周期に依存する。
【００１５】
図３に、色合成器７Ａ−４の具体的構成の一実施例を示し、以下に説明する。カラーサブキャリア信号ＳＣは、色変換器７Ａ-4-1に入力される。 エラーフラグゲート信号Ｓegと、色変換器７Ａ-4-1から出力される変換されたカラーサブキャリア信号ＳＣ'は、加算器７Ａ-4-2に入力される。 加算器７Ａ-4-2は色付きエラーフラグ信号Ｓeg'を出力する。なお、色合成器７Ａ−４は、エラー表示をエラーが発生している期間とエラーが発生していない期間を異なる輝度、または色相で表示するために用いる。例えば、ＮＴＳＣ用であれば、カラーサブキャリア信号ＳＣは、１４.３ＭHzクロックを４分周した３.５８ＭHzの信号である。 これを、色変換器７Ａ-4-1においてカラーサブキャリア信号ＳＣの振幅、位相を変化させた信号ＳＣ'と、エラーフラグゲート信号Ｓegを加算器７Ａ-4-2において加算することで、色付きエラーフラグ信号Ｓeg'が得られる。また、ブランキング期間にエラーフラグ信号Ｓｅが発生するのを防止するため、ブランキング期間にレベルＬとなるＢＬＫ信号を用いてブランキング期間は強制的にレベルＬとする。但し、この構成を用いると、ブランキング期間のエラーは映像として表示されない。
【００１６】
そこで、ブランキング期間のエラーについても表示可能とする構成を図５に示し、説明する。これは、図１２に示す従来技術と同様の構成の送信機Ｔｘと、同じく同様構成の受信機Ｒｘ、記憶装置付き映像変換部７Ｂから構成される。受信機Ｒｘからのエラーフラグ信号Ｓｅは、記憶装置付き映像変換部７Ｂに接続される。図６に、この記憶装置付き映像変換部７Ｂの具体的な構成を示し、以下に説明する。受信機Ｒｘから得られるエラーフラグ信号Ｓｅは、ＦＩＦＯ(First In FirstOut)メモリ７Ｂ−２に接続される。 映像同期信号発生器７Ｂ−１から出力される映像同期信号C.SYNCは、タイミングパルス発生器７Ｂ−３および加算器７Ｂ−４に入力される。タイミングパルス発生器７Ｂ−３は、信号C.SYNCに応じて、ＦＩＦＯメモリ７Ｂ−２への読み出しリセット信号ＲＲＥＳおよび読み出しイネーブル信号ＲＥを出力する。ＦＩＦＯメモリ７Ｂ−２から出力されるレート変換されたエラーフラグ信号Ｓｅ'は、加算器７Ｂ−４に入力される。加算器７Ｂ−４は映像信号を出力する。 信号Ｓｅと信号C.SYNCの関係を図７に示す。この構成を用いることにより、全エラーが表示可能となる。
【００１７】
次に、エラー発生状態を他の映像に重畳する場合について、図８を用いて説明する。この構成は、図１、図５の映像変換部７Ａ，７Ｂに替えて、エラー発生状態映像重畳部７Ｃとした構成である。エラーフラグ信号Ｓｅは、ゲート７Ｃ−２に接続される。外部映像信号は、外部映像同期型同期信号発生器７Ｃ−１および加算器７Ｃ−３に入力される。外部映像同期型同期信号発生器７Ｃ−１から出力されるブランキング期間信号ＢＬＫは、ゲート７Ｃ−２に接続される。ゲート７Ｃ−２から出力されるエラーフラグゲート信号Ｓegは、加算器７Ｃ−３に接続される。加算器７Ｃ−３は外部映像信号とエラーフラグゲート信号Ｓegを加算し、エラー発生状態重畳映像信号を出力する。図９に外部映像同期型同期信号発生器７Ｃ−１の構成を示す。外部映像信号は、同期抽出器７Ｃ-1-1に入力される。 同期抽出器７Ｃ-1-1から出力される抽出同期信号は、同期信号発生器７Ｃ-1-2に入力される。 同期信号発生器７Ｃ-1-2は、ブランキング期間信号ＢＬＫを出力する。
【００１８】
図１０に本発明の伝送システムを画像コーデックと組み合わせ、エラー発生状態映像をＭＰＥＧ復号画像に重畳する画像／音声伝送システムの構成を示す。入力された映像信号と音声信号は、ＭＰＥＧ−ＥＮＣ(エンコーダ)部ＴｘＭにて、送信機Ｔｘからの基準クロックＣＫTXに従い、圧縮されたディジタルデータＤinに変換される。伝送され受信機Ｒxで復調された該データは、Ｄoutとして伸張を行うＭＰＥＧ−ＤＥＣ(デコーダ)部ＲｘＭに入力される。ＭＰＥＧ−ＤＥＣ部ＲｘＭにて伸張された画像信号は、前述のエラー発生状態映像重畳部７Ｃに入力され、上記と同様にして、エラー発生状態を重畳された後、エラー発生状態重畳映像信号出力される。
【図面の簡単な説明】
【００１９】
【図１】本発明の全体構成の一実施例を示すブロック図
【図２】本発明の映像変換部７Ａの一例を示すブロック図
【図３】本発明のエラー発生状態の表示画像の一例を示す模式図
【図４】本発明の色合成器７Ａ−４の一例を示すブロック図
【図５】本発明の全体構成の他の実施例を示すブロック図
【図６】本発明の記憶装置付き映像変換部７Ｂの一例を示すブロック図
【図７】本発明のエラーフラグ信号Ｓｅと映像信号の関係を示す模式図
【図８】本発明のエラー発生状態映像重畳部７Ｃの一例を示すブロック図
【図９】本発明の外部映像同期型同期信号発生器７Ｃ−１の一例を示すブロック図
【図１０】本発明の伝送状態−復号画像重畳型伝送システムの一例を示すブロック図
【図１１】エラーフラグが出力される場合のデータのマッピング位置を説明する模式図
【図１２】従来構成の伝送装置の一例を示すブロック図
【図１３】従来の受信機におけるＢＥＲ、受信電界強度の表示例を示す模式図
【符号の説明】
【００２０】
Ｔｘ：送信機、Ｒｘ：受信機、７Ａ：映像変換部、７Ｂ：記憶装置付き映像同期信号発生器、７Ｃ：エラー発生状態映像重畳部、７Ａ−１，７Ｂ−１：映像同期信号発生器、７Ａ−２：ゲート、７Ａ−３，７Ａ-4-2，７Ｂ−１：加算器、７Ａ−４：色合成器、７Ａ-4-1：色変換器、７Ｂ−２：ＦＩＦＯメモリ、７Ｂ−３：タイミングパルス発生器、７Ｃ-1-1：同期抽出器、７Ｃ-1-2：同期信号発生器、ＴｘＭ：ＭＰＥＧ−ＥＮＣ部、ＲｘＭ：ＭＰＥＧ−ＤＥＣ部。
【図１】
2006157948.tif 000003
【図２】
2006157948.tif 000004
【図３】
2006157948.tif 000005
【図４】
2006157948.tif 000006
【図５】
2006157948.tif 000007
【図６】
2006157948.tif 000008
【図７】
2006157948.tif 000009
【図８】
2006157948.tif 000010
【図９】
2006157948.tif 000011
【図１０】
2006157948.tif 000012
【図１１】
2006157948.tif 000013
【図１２】
2006157948.tif 000014
【図１３】
2006157948.tif 000015